(57)【要約】【課題】防寒靴等の厚いつま先でも、作業靴の踵でも操作できるし、いずれの方向からも操作できるので操作性に優れており、しかも誤って踏んでも操作しないので誤操作を確実に防止できる足踏みスイッチを提供する。【解決手段】押動式スイッチ本体を搭載した基台１に、足踏み式のスイッチ操作体１１を支持軸１２により回動可能に軸支してある。スイッチ操作体１１は基体１との間に設けた圧縮ばねによって、常時はスイッチ本体から離間している。スイッチ操作体１１の先端には、押動部１４Ａを上方に突出させた状態で誤操作防止体１４が倒伏可能、かつ復帰可能に軸支してあり、下面は基体１との当接面１４Ｂになっている。【選択図】  図１
0003110083.tif 000002
【実用新案登録請求の範囲】
【請求項１】
基台と、該基台に搭載した押動式のスイッチ本体と、該スイッチ本体を覆った状態で、前記基台に回動可能に軸支された足踏み式のスイッチ操作体と、該スイッチ操作体を前記スイッチ本体から離間する状態に常時は保持している弾性保持体と、前記スイッチ操作体の先端側に起伏可能に軸支され、スイッチ操作体より上方に突出する上端側は押動部になり、下端面は前記基台に当接する当接面になった誤操作防止体と、該誤操作防止体及び/又は前記スイッチ操作体に設けられ、該スイッチ操作体を作動するために倒伏した誤操作防止体を起立状態に復帰させる弾性復帰体とから構成してなる誤操作防止機能付き足踏みスイッチ。
【請求項２】
前記基台及び/又はスイッチ操作体に、該スイッチ操作体の踏み込み量を規制する作動量規制体を設けてあることを特徴とする請求項１記載の誤操作防止機能付き足踏みスイッチ。
【考案の詳細な説明】
【技術分野】
【０００１】
本考案は、作業中に足で操作する足踏み式のスイッチに関し、操作性に優れており、またスイッチを誤操作するのを防止できるようにした誤操作防止機能付き足踏みスイッチに関する。
【背景技術】
【０００２】
配電工事等では作業の内容によっては足の操作で電源をオン、オフするフットスイッチを用いており、従来のフットスイッチは工作機械等に使用する既製のフットスイッチに誤操作防止カバーを設けた構成からなっている。
【０００３】
また、他の従来技術として、スイッチを固定したスイッチ固定台に、保護カバーを開方向に付勢した状態で開閉自在に設け、該保護カバーを閉方向に操作してスイッチを操作不能に覆う位置に係合すると共に、保護カバーを操作したとき係合を解除して前記付勢によって保護カバーを所定位置まで開く係合手段を設けたフットスイッチが知られている（特許文献１）。
【特許文献１】実開昭６３−１６５７２８号公報
【考案の開示】
【考案が解決しようとする課題】
【０００４】
上述した従来の既製品を改造したフットスイッチは、誤操作防止カバーの下にスイッチ操作板があるため、つま先の厚い作業靴では操作がし難いという欠点や、スイッチ操作板を押動する方向が一定方向に限られているという欠点がある。また、特許文献１に示すフットスイッチは、係合手段を操作して保護カバーを開いた後にスイッチを操作するという２ステップを行うことから、操作性に劣る欠点や、操作方向が限られている欠点がある。
【０００５】
本考案は、上述した従来技術の欠点に鑑みなされたもので、防寒靴等の厚いつま先でも、作業靴の踵ででも操作することができるし、いずれの方向からも操作できるので操作性に優れており、また誤って踏んでも操作しないので誤操作を確実に防止できる安全性にも優れた誤操作防止機能付き足踏みスイッチを提供することを目的とする。
【課題を解決するための手段】
【０００６】
上述した課題を解決するために構成した本考案の手段は、基台と、該基台に搭載した押動式のスイッチ本体と、該スイッチ本体を覆った状態で、前記基台に回動可能に軸支された足踏み式のスイッチ操作体と、該スイッチ操作体を前記スイッチ本体から離間する状態に常時は保持している弾性保持体と、前記スイッチ操作体の先端側に起伏可能に軸支され、スイッチ操作体より上方に突出する上端側は押動部になり、下端面は前記基台に当接する当接面になった誤操作防止体と、該誤操作防止体及び/又は前記スイッチ操作体に設けられ、該スイッチ操作体を作動するために倒伏した誤操作防止体を起立状態に復帰させる弾性復帰体とからなる。
【０００７】
そして、前記基台及び/又はスイッチ操作体に、該スイッチ操作体の踏み込み量を規制する作動量規制体を設けるとよい。
【考案の効果】
【０００８】
本考案は上述の如く構成したから、下記の諸効果を奏する。
（１）足踏み式のスイッチ操作体に誤操作防止体を設け、作業者が誤操作防止体を意識的に倒伏させることによりスイッチ操作体の操作を可能にしたから、誤ってスイッチ操作体を踏み込んでも作動することがなく、確実に誤操作を防止することができる。
（２）誤操作防止体は押動部がスイッチ操作体より上方に突出しているから、防寒靴や作業靴でも倒伏させてロック状態を解除することができるし、いずれの方向からも操作できるので操作性に優れている。
（３）誤操作防止体を押動してスイッチ操作体を踏み込む動作は一連の動きで行うことができるから、操作性に優れている。
（４）基台及び/又はスイッチ操作体にスイッチ操作体の踏み込み量を規制する作動量規制体を設け、スイッチ操作体を過剰に押動するのを防止するようにしたから、過剰押動によるスイッチ本体の損傷を防止できる。
【考案を実施するための最良の形態】
【０００９】
以下、本考案の実施の形態を図面に基づき詳述する。図において、１は誤操作防止機能付き足踏みスイッチを構成する基台を示す。２は該基台１を構成し、長方形の金属板又は合成樹脂板からなる台本体で、該台本体２の上面には長手方向に沿ってスイッチ支持体３が設けてある。該スイッチ支持体３は長方形の金属製平板からなり、スイッチ挿着穴４とばね遊貫穴５が形成してある支持板部３Ａと、該支持板部３Ａの幅方向両端から下方に屈曲した一対の側板部３Ｂ、３Ｂと、該各側板部３Ａの下端から略Ｌ字状に外側に屈曲した取付板部３Ｃを一体に形成したものからなる。
【００１０】
６は台本体２の後端に立設した後板で、該後板６の略中央にはコード挿通穴７が形成してあり、幅方向両側の上端側には一対の軸支持片６Ａ、６Ａが前方に向けて突出形成してある。
【００１１】
８は上部に操作ボタン８Ａを有する押動式のスイッチ本体で、該スイッチ本体８は前記スイッチ挿着穴４に挿嵌した状態でスイッチ支持体３に設けてある。そして、スイッチ本体８には、前記コード挿通穴７に挿通した電源コード９が接続してある。１０は前記操作ボタン８Ａが過剰に押動されるのを防止するための作動量規制体を示し、該作動量規制体１０は環状平板からなっており、操作ボタン８Ａの外周を囲んだ状態でスイッチ支持体３の支持板部３Ａ上面に固着してある。
【００１２】
１１はスイッチ本体８を押動操作するための足踏み式のスイッチ操作体を示す。該スイッチ操作体１１は長方形の平板からなる天板部１１Ａと、該天板部１１Ａの幅方向両端から下向きに屈曲形成した側枠部１１Ｂ、１１Ｂとから縦断面略冂状に、かつスイッチ支持体３を覆う長さと幅に形成してある。そして、スイッチ操作体１１は、後端側で基台１の軸支持片６Ａ、６Ａに挿通した支持軸１２に軸支されており、支持軸１２を支点にして先端側が矢示イ、ロ方向に回動可能になっている。
【００１３】
１３はスイッチ操作体１１をスイッチ本体８から離間する状態に常時は保持している弾性保持体としての圧縮ばねで、該圧縮ばね１３はスイッチ支持体３のばね遊貫穴５に挿通した状態で、台本体２と足踏み操作体１１との間に設けてある。
【００１４】
１４はスイッチ操作体１１を不用意に操作しないための誤操作防止体を示す。該誤操作防止体１４はスイッチ操作体１１より若干幅狭の平板からなり、スイッチ操作体１１の先端側にばね付きヒンジ１５を介して起伏可能に軸支され、スイッチ操作体１１より上方に突出する上端側は押動部１４Ａになり、下端面は台本体２に当接する当接面１４Ｂになっている。そして、誤操作防止体１４は、押動部１４Ａを矢示ハ方向に押すことにより、当接面１４Ｂ側の下端側がスイッチ操作体１１内に進入して倒伏し、押圧力が解除されるとばね付きヒンジ１５のばね力によって起立した状態に復帰するようになっている。また、１６は誤操作防止体１４が外側の逆方向に回転するのを防止するために、台本体２に固着したストッパである。
【００１５】
本実施の形態に係る誤操作防止機能付き足踏みスイッチは上述の構成からなり、作業者がスイッチ本体８をオンに操作する場合は、靴（足）Ａで誤操作防止体１４の押動部１４Ａを外側に倒してロック状態を解除しながらスイッチ操作体１１を踏み込むという一連の動作により、スイッチ本体８の操作ボタン８Ａが押し下げられてオンになる。逆に、電源をオフにする場合は、スイッチ操作体１１に対する踏み込み力を開放すると、圧縮ばね１３のばね力によりスイッチ操作体１１がスイッチ本体８から離間してオフになり、誤操作防止体１４もばね付きヒンジ１５のばね力によって起立状態に復帰する。このように、誤操作防止体１４を意識的に倒伏させた場合にのみスイッチ操作体１１を操作することができるから、誤操作を確実に防止することができる。また、誤って誤操作防止体１４を踏んだ場合、誤操作防止体１４は基台１に対して垂直の状態で押し付けられてロックした状態になるからスイッチ操作体１１を押動することはない。
【００１６】
図６乃至図８は各方向からの操作状態を具体的に示すもので、図６は靴（足）Ａを踏み出す方向ニの動きで誤操作防止体１４を倒伏させながらスイッチ操作体１１を踏み込む状態を示す。図７は靴（足）Ａを引く方向ホの動きで誤操作防止体１４を倒伏させながらスイッチ操作体１１を踏み込む状態を示す。また、図８は靴（足）Ａの側面を横から下に向けた方向への動きで誤操作防止体１４を倒伏させながらスイッチ操作体１１を踏み込む状態を示す。このように、本実施の形態によれば、靴のいずれの部分でも、またいずれの方向からも誤操作防止体１４のロック状態を解除してスイッチ操作体１１を操作することが可能であるから、操作性に優れている。
【００１７】
なお、本実施の形態では、作動量規制体１０をスイッチ支持体３に設けたが、例えばスイッチ操作体１１の側枠部１１Ｂに、所定量踏み込んだら台本体２に当接するストッパ片を下向きに突設する構成にしてもよい。
【００１８】
また、弾性保持体として圧縮ばね１３を用いたが、ゴム等の弾性体を用いてもよいものである。
【００１９】
また、誤操作防止体１４はばね付きヒンジ１５によりスイッチ操作体１１に連結したが、ヒンジとは別にばね、ゴム等の弾性体を誤操作防止体１４又はスイッチ操作体１１に設ける構成にしてもよいものである。
【図面の簡単な説明】
【００２０】
【図１】本考案の実施の形態に係る誤操作防止機能付き足踏みスイッチの外観斜視図である。
【図２】誤操作防止機能付き足踏みスイッチの中央縦断面図である。
【図３】図２中のＩＩＩ−ＩＩＩ矢示方向断面図である。
【図４】図２中のＩＶ−ＩＶ矢示方向断面図である。
【図５】操作状態の誤操作防止機能付き足踏みスイッチの一部を破断して示す説明図である。
【図６】靴を踏み込む方向で足踏みスイッチを操作する状態を示す説明図である。
【図７】靴を引く方向で足踏みスイッチを操作する状態を示す説明図である。
【図８】靴の側面で足踏みスイッチを操作する状態を示す説明図である。
【符号の説明】
【００２１】
１          基台
８          スイッチ本体
１０        作動量規制体
１１        スイッチ操作体
１３        圧縮ばね（弾性保持体）
１４        誤操作防止体
１４Ａ      押動部
１４Ｂ      当接面
１５        ばね付きヒンジ（弾性復帰体）
【図１】
0003110083.tif 000003
【図２】
0003110083.tif 000004
【図３】
0003110083.tif 000005
【図４】
0003110083.tif 000006
【図５】
0003110083.tif 000007
【図６】
0003110083.tif 000008
【図７】
0003110083.tif 000009
【図８】
0003110083.tif 000010